(57)【要約】【課題】  本発明は、通気膜の少なくとも一部に色調の異なる指標部を設けてなることにより、容易に識別が可能なケースの通気膜を提供することを目的とする。【解決手段】  ケース１の内部空間Ｓと外部とを連通する通気孔１２０を覆うように設けられる通気性および防水性を有する通気膜７において、通気膜７の少なくとも一部に色調の異なる指標部７０を設けてなるものである。またケース１の通気構造に前記通気膜７を採用することによって、一般的に単一色からなるケース１に対して、通気膜７の地色の色合いと通気膜７に設けた色調の異なる指標部７０との色合いとの相違によって、対比判別を容易に行うことができ、通気膜７の剥がれや通気膜の貼り忘れなども容易に確認することができる。また通気膜７によって本来の目的でもあるケース１の外部側からの塵埃の侵入や水などの浸入を未然に防ぐことができる。【選択図】  図２
2011185822.tif 000002
【特許請求の範囲】
【請求項１】
ケースの内部空間と外部とを連通する通気孔を覆うように設けられる通気性および防水性を有する通気膜において、前記通気膜の少なくとも一部に色調の異なる指標部を設けてなることを特徴とする通気膜。
【請求項２】
前記指標部は、前記通気膜の色合いと異なる色彩にて形成してなることを特徴とする請求項１に記載の通気膜。
【請求項３】
前記指標部は、前記通気膜の表面に濃淡による色調にて形成してなることを特徴とする請求項１に記載の通気膜。
【請求項４】
前記指標部は、前記通気膜の表面に前記通気膜の色合いと異なる樹脂シートを貼付してなることを特徴とする請求項１に記載の通気膜。
【請求項５】
前記指標部の前記樹脂シートは、前記通気膜の外周を取り巻くように設けてなることを特徴とする請求項４に記載の通気膜。
【請求項６】
ケースの内部空間と外部とを連通するように設けられた通気孔と、前記通気孔を覆うように設けられる通気性および防水性を有する通気膜と、を備えてなるケースの通気構造において、前記通気膜は請求項１から請求項５のいずれかに記載の通気膜であることを特徴とするケースの通気構造。
【発明の詳細な説明】
【技術分野】
【０００１】
本発明は、例えば自動車やオートバイ、建設機械、農耕機械、船舶、雪上バイク、水上バイク等に搭載される計器装置に適用されるケースの通気構造に関するもので、特にケースに設けた通気部を、通気性を有する通気膜で覆ってなるケースの通気構造に係わるものである。
【背景技術】
【０００２】
例えばオートバイなどに搭載される計器装置として、特許文献１などに示されるように、車速やエンジン回転、残燃料等の各種計測情報を表示する指示計器がケース内に収納するように構成している。このような計器装置は、計測情報を表示または指示する表示器をケース内に収納し、その前方をケースの一部を構成する透明な透視パネルで覆ってなり、透視パネルを通じて指示計器の表示内容を視認できるように構成している。 
【０００３】
そしてケースには、前述の特許文献１などに示されているように、透視パネルの曇り等の発生を抑制するため、ケースの内部（内気）と外部（外気）とを連通する例えば筒状の通気部（通気孔）を設け、さらにこの通気部を通気性を有した通気膜で覆い、通気性を確保しつつ水や埃といった異物の侵入を防ぐようにしている。
【０００４】
また通気膜としては、特許文献２などに示されているように、空気を通して水や湿気を通さないシート状の防水素材が一般に使用され、通常は通気膜を通気部（通気孔）の開口孔の径よりも大きく形成してその外周縁に粘着層を設け、この粘着層を通じて通気膜を貼着することにより、通気膜が通気部（通気孔）を完全に覆うように設けられている。
【先行技術文献】
【特許文献】
【０００５】
【特許文献１】特開平８−２１９８１７号公報
【特許文献２】特開２００５−２４３８２９号公報
【発明の開示】
【発明が解決しようとする課題】
【０００６】
ところで、前述した計器装置に適用されるケースの通気孔を覆う通気膜は、一般的に単一の色調、例えば黒や白からなるもので用いられている。このため、通気膜と同じ色調のケースに通気膜を貼り付けた場合、コントラストが低いことで判別しづらいことがあり、通気膜が剥がれたり、欠品（通気膜の貼り忘れ）したとしても気が付きがたいという問題点を有している。
そこで、本発明は前述した問題点に着目し、通気膜の少なくとも一部に色調の異なる指標部を設けてなることにより、どのような色のケースであったとしても、容易に識別が可能なケースの通気膜を提供することを目的とする。
【課題を解決するための手段】
【０００７】
本発明は前述した課題を解決するため、請求項１では、ケースの内部空間と外部とを連通する通気孔を覆うように設けられる通気性および防水性を有する通気膜において、前記通気膜の少なくとも一部に色調の異なる指標部を設けてなるものである。また請求項６に記載のケースの通気構造に請求項１に記載の前記通気膜を採用することによって、一般的に単一色からなるケースに対して、通気膜の地色の色合いと通気膜に設けた色調の異なる指標部との色合いとの相違によって、対比判別を容易に行うことができるものであり、通気膜の剥がれや欠品（通気膜の貼り忘れ）なども容易に確認することができる。また通気膜によって本来の目的でもあるケースの外部側からの塵埃の侵入や水などの浸入を未然に防ぐことができる。
【０００８】
また請求項２では、請求項１に記載の通気膜において、前記指標部は、前記通気膜の色合いと異なる色彩にて形成してなることを特徴とするものであり、これによりケースの単一色と、通気膜の地色の色合いと異なる色彩にて指標部を形成してなるため、ケースの色と指標部の色合いあるいはケースの色と通気膜の地色の色合いとの相違によって簡単に識別することができる。
【０００９】
また請求項３では、請求項１に記載の通気膜において、前記指標部は、前記通気膜の表面に濃淡による色調にて形成してなることを特徴とするものであり、これによりケースの単一色と、通気膜の地色の色合いと異なる濃淡による色調からなる指標部を設けることによって、ケースの色と指標部の濃淡による色調との相違あるいはケースの色と通気膜の地色の色合いとの相違によって簡単に識別することができる。
【００１０】
また請求項４では、請求項１に記載の通気膜において、前記指標部は、前記通気膜の表面に前記通気膜の色合いと異なる樹脂シートを貼付してなることを特徴とするものであり、これによりケースの単一色と、通気膜の地色の色合いと異なる樹脂シートを通気膜に貼り付けてなることによって、ケースの色と指標部である樹脂シートの色合いとの相違あるいはケースの色と通気膜の地色の色合いとの相違によって簡単に識別することができる。
【００１１】
また請求項５では、請求項４に記載の通気膜において、前記指標部は、前記通気膜の外周を取り巻くように設けてなることを特徴とするものであり、これにより通気膜の周縁部分が樹脂シートからなる指標部によって形成されるため、通気膜をケースの通気孔位置に沿わせて貼り付ける際に通気膜の周縁が樹脂シートによって補強される状態となるため、通気膜をシールのベースフィルム（台紙）から剥がしやすく、しかも通気膜にしわなどの発生を抑えることができ、簡単にケースに対して貼り付けることができる。
【００１２】
また請求項６では、前述したように単一色からなるケースに対して、通気膜の地色の色合いと通気膜に設けた色調の異なる指標部との色合いとの相違などによって簡単に識別することができるものであり、通気膜の剥がれや欠品（通気膜の貼り忘れ）なども容易に判別することができる。また通気膜によって本来の目的でもあるケースの外部側からの塵埃の侵入や水などの浸入を未然に防ぐことができる。
【発明の効果】
【００１３】
本発明による通気膜およびその通気膜を備えたケースの通気構造においては、一般的に単一色からなるケースに対して、通気膜の地色の色合いと通気膜に設けた色調の異なる指標部との色合いとの相違によって、対比判別を容易に行うことができるものであり、通気膜の剥がれや欠品なども容易に確認することができる。また通気膜によって本来の目的でもあるケースの外部側からの塵埃の侵入や水などの浸入を未然に防ぐことができる。
【図面の簡単な説明】
【００１４】
【図１】図１は、本発明の第１の実施形態である計器装置を示す正面図である。
【図２】図２は、図１の計器装置に適用されるケースの通気構造および通気膜を貼り付けた状態の断面図である。
【図３】図３は、図２の通気膜のみを示す正面図と断面図である。
【図４】図４は、通気膜の実施態様例を示す正面図と断面図である。
【発明を実施するための最良の形態】
【００１５】
図１から図３は本発明の第１の実施形態を示すもので、以下、これらに基づいて本発明の実施形態をたとえばオートバイに搭載される計器装置に適用したケースの通気構造を例にして説明する。
【００１６】
同図において、本実施形態による計器装置においては、左側に速度計からなる表示器である指示計器Ｄと、右側にエンジン回転計からなる表示器である指示計器Ｄが配置され、指示計器Ｄのそれぞれが外装部材であるケース１（上ケース１１と下ケース１２とからなる収納空間内Ｓ）内に組み付け固定されている。
【００１７】
ケース１内に収納される速度計からなる指示計器Ｄを例にして説明すると、図２に示すように、指示計器Ｄは、駆動部となる計器本体２が設けられ、この計器本体２に設けられた回転軸３の先端側に回転軸３を中心に回転する指針４が固着され、この指針４の背面側に位置し透過照明される目盛や数字や記号などからなる表示部５ａが施された表示板５が配設されている。
【００１８】
また、ケース１には、この実施形態においては表示板５の表示部５ａを透過照明するための計器照明用の光源６（照明ランプ）が組み付けられている。
【００１９】
また前述したように本実施形態におけるケース１は、上ケース１１と下ケース１２とからなり、上ケース１１と下ケース１２とはパッキンＰを介して金属製のリング部材１３によって加締め固定されている。この場合、上側ケース１１は、表示板５上に設けられた表示部５ａ領域と指針４の指示状態を視認することが可能な透過性の透視板により形成されている。
【００２０】
また、下側ケース１２は白色からなる合成樹脂材料により形成され、その下側ケース１２には、前述した透視板である上ケース１１が曇ることがないように外気とケース１内の収納空間内Ｓの内気とを連通する通気孔１２０が下側ケース１２の底面箇所に複数設けられている。なお、通気孔１２０は、内壁箇所を迷路状に連通するように形成し、これにより下ケース１２の外部から水や塵埃が直接侵入することを未然に防ぐことができるようにしている。
【００２１】
また、通気孔１２０が設けられている下ケース１２の内壁面には、通気孔１２０を覆うように通気性および防水性を有するシート状の防水素材からなる通気膜７が貼り付け固定されている。
【００２２】
本実施形態における通気膜７にあっては、その通気膜７の少なくとも一部に色調の異なる指標部７０が設けられている。この場合、通気膜７は例えば白色からなる通気性および防水性を有する繊維（多孔質膜）からなっており、この通気膜７の表面に通気膜７の色合い（白色）と異なる色合いである黒色からなる樹脂シート７０ａ例えばポリエチレン製のフィルムによる指標部７０が設けられている。また、通気膜７の裏面には、下ケース１２に貼り付けるための粘着性を有する両面シール７１が貼り合わされて設けられている。
【００２３】
図３に示すように、指標部７０は、通気膜７の外周部分を取り巻くようにリング状の樹脂シート７０ａによって設けられているものであり、その中央部に位置する白色の通気膜７箇所がケース１内の収納空間内Ｓの内気とを連通する領域であり、その通気膜７の周縁部分が黒色による樹脂シートからなる指標部７０によって形成されている。
【００２４】
以上のように本実施形態では、指示計器Ｄを収納する上ケース１１と下ケース１２とからなるケース１において、下ケース１２に、内部と外部とを連通する通気孔１２０を設け、この通気孔１２０を覆うように通気性および防水性を有するシート状の防水素材からなる通気膜７を貼り付け固定することにより、塵埃などの侵入を防ぎつつ、通気性と防水性との双方を確保することができる。
【００２５】
また通気膜７に設けられる指標部７０は、通気膜７の表面に通気膜７の色合い（白色）と異なる黒色による樹脂シート７０ａを貼付してなることにより、下ケース１２の白色からなる単一色と、通気膜７の地色の色合いである白色と異なる黒色からなる樹脂シート７０ａによる指標部７０との色合いの相違によって簡単に識別することができ、通気膜７の剥がれや欠品（通気膜７の貼り忘れ）なども容易に確認することができる。
【００２６】
また本実施形態による通気膜７においては、通気膜７の周縁部分である外周部分を樹脂シート７０ａからなる指標部７０によって形成されるため、通気膜７を下ケース１２の通気孔１２０位置に沿わせて貼り付ける際に、通気膜７の周縁が指標部７０である樹脂シート７０ａによって補強される状態となるため、通気膜７を樹脂シート７０ａが貼り付けてある図示しないベースフィルム（台紙）から剥がしやすく、しかも通気膜７の周縁が樹脂シート７０ａによって補強されることにより、シワなどの発生を抑えることができ、簡単に下ケース１２に対して通気膜７に設けた両面シール７１を貼り付けることができる。
【００２７】
図４は、通気膜７の実施態様例を示すもので、指標部７００は、白色からなる通気膜７の表面に濃淡による色調、例えば黒色のドットによるグラデーションを施した樹脂シート部材７００ａを貼り付けて形成している。また、通気膜７の裏面には前述した第１実施形態と同様に下ケース１２に貼り付けるための粘着性を有する両面シール７１０が貼り合わせて設けられている。
【００２８】
従って、前述した第１実施形態と同様に通気膜７を貼り付け固定することにより、塵埃などの侵入を防ぎつつ、通気性と防水性との双方を確保することができる。
【００２９】
また通気膜７に設けられる指標部７００は、通気膜７の表面に通気膜７の色合い（白色）と異なる黒色のドットによるグラデーションを施した樹脂シート部材７００ａを貼り付けて形成してあるため、下ケース１２の白色からなる単一色と、通気膜７の地色の色合いである白色と異なる黒色のドットによるグラデーション（濃淡）を施した樹脂シート部材７００ａによる指標部７００との色調の相違によって簡単に識別することができ、通気膜７の剥がれや欠品（通気膜７の貼り忘れ）なども容易に確認することができる。
【００３０】
また前述の第１実施形態と同様にして、通気膜７を下ケース１２の通気孔１２０位置に沿わせて貼り付ける際に、通気膜７の周縁が指標部７００である樹脂シート７００ａによって補強されるため、ベースフィルム（台紙）から剥がしやすく、下ケース１２に対してシワなどの発生を抑えつつ、通気膜７に設けた両面シール７１０を簡単に貼り付けることができる。
【００３１】
なお、通気膜７に指標部７０，７００などを設ける手段として、第１実施形態および他の実施態様例では樹脂シート７０ａ，７００ａを貼付して形成していたが、例えば通気膜の少なくとも一部に色調の異なる指標部を設けたり、通気膜の色合いと異なる色彩にて指標部を形成したり、あるいは通気膜の地色の色合いと異なる濃淡による色調からなる指標部を設けたりする場合、例えば着色されたインクをインクジェット方式によって印刷あるいは塗布することによって通気膜に形成することができる。
【００３２】
また、第１の実施形態あるいは実施態様例においては、下ケース１２を白色の合成樹脂材料にて形成していたが、例えば下ケース１２を黒色からなる合成樹脂材料にて形成した場合においても同様の効果を得ることができる。すなわち、例えば第１実施形態の通気膜７に設けられた指標部７０を例にして説明すると、下ケース１２が黒色であったとしても、通気膜７の表面に通気膜７の色合い（白色）と異なる黒色による指標部７０となる樹脂シート７０ａを貼付してなることにより、下ケース１２の黒色からなる単一色と、通気膜７地色の色合いである白色との色合いの相違によって簡単に識別することができ、これにより通気膜７の剥がれや欠品（通気膜７の貼り忘れ）なども容易に確認することができる。
【００３３】
なお本発明は、前記実施形態に限定されるものではなく本発明の要旨の範囲内において種々の変形実施が可能であり、例えば実施形態においては、通気膜７の表面に通気膜７の地色の色合いと異なる色合いからなる指標部７０，７００となる樹脂シート７０ａ，７００ａを貼付して形成していたが、前述したインクジェット方式による印刷や塗布によって指標部を形成する通気膜７に加え、熱転写にて通気膜７の表面に指標部を形成したり、あるいは通気膜７自体を染料などによって部分的に染めたりすることによって形成することも可能である。
【産業上の利用可能性】
【００３４】
また、前述した実施形態において詳述したように、オートバイなどの車両用の計器装置を例にして説明したが、車両用計器に限らず船舶用計器あるいは農業用機械や建設機械などの特殊車両の計器装置などにおいても適用することが可能である。
【符号の説明】
【００３５】
１    ケース
２    計器本体
３    回転軸
４    指針
５    表示板
５ａ    表示部
６    光源（照明ランプ）
７    通気膜
１１    上ケース
１２    下ケース
１３    リング部材
７０    指標部
７０ａ    樹脂シート
７１    両面シール
１２０    通気孔
７００    指標部
７００ａ    樹脂シート
Ｄ    指示計器
Ｐ    パッキン
Ｓ    収納空間
【図１】
2011185822.tif 000003
【図２】
2011185822.tif 000004
【図３】
2011185822.tif 000005
【図４】
2011185822.tif 000006